(57)【要約】【課題】２つの表示部の間でのドラッグ操作を精度良く行うことができる携帯端末装置を提供することを目的とする。【解決手段】携帯電話機は、第１ディスプレイ１１と、第１ディスプレイ１１と並べられた第２ディスプレイ２１と、アイコンがドラッグ操作されたことを検出するため各ディスプレイに配されるタッチパネル１２、２２を備える。ここで、ＣＰＵ１００は、アイコンがドラッグされると、各ディスプレイ１１、２１の表示画面を縮小して、縮小した表示画面をドラッグ操作がなされているディスプレイに表示させる縮小画面表示処理を実行する。そして、前記ドラッグ操作が完了すると、前記縮小した表示画面を元のサイズの表示画面に戻す。そして、元のサイズの表示画面において、縮小した表示画面上でのドラッグ操作完了時の位置に相当する位置にアイコンを表示させる。【選択図】図３
2011253567.tif 000002
【特許請求の範囲】
【請求項１】
携帯端末装置において、
第１の表示部と、
前記第１の表示部と並べられた第２の表示部と、
前記第１の表示部および前記第２の表示部の表示を制御する表示制御部と、
前記第１の表示部または前記第２の表示部に表示された移動対象に対してドラッグ操作がなされたことを検出するための検出部と、を備え、
前記表示制御部は、
前記移動対象がドラッグ操作されているときに、前記第１の表示部および第２の表示部に表示された表示画面を縮小して、縮小した表示画面を前記ドラッグ操作がなされている表示部に表示させる縮小画面表示処理を実行し、
前記ドラッグ操作が完了すると、前記縮小した表示画面を元のサイズの表示画面に戻して前記第１の表示部および第２の表示部に表示させるとともに、前記元のサイズの表示画面において、前記縮小した表示画面上での前記ドラッグ操作完了時の位置に相当する位置に前記移動対象を表示させる、
ことを特徴とする携帯端末装置。
【請求項２】
請求項１に記載の携帯端末装置において、
前記表示制御部は、前記ドラッグ操作が開始されると、前記縮小画面表示処理を実行する、
ことを特徴とする携帯端末装置。
【請求項３】
請求項１に記載の携帯端末装置において、
前記表示制御部は、前記ドラッグ操作の状況に基づいて、前記縮小画面表示処理を実行する、
ことを特徴とする携帯端末装置。
【請求項４】
請求項３に記載の携帯端末装置において、
前記表示制御部は、他方の表示部との境界から所定の範囲内に前記ドラッグ操作が達すると、前記縮小画面表示処理を実行する、
ことを特徴とする携帯端末装置。
【請求項５】
請求項３に記載の携帯端末装置において、
前記表示制御部は、他方の表示部の方向に前記ドラッグ操作がなされると、前記縮小画面表示処理を実行する、
ことを特徴とする携帯端末装置。
【請求項６】
請求項１に記載の携帯端末装置において、
前記表示制御部は、前記ドラッグ操作が開始された後に所定のキー操作が行われると、前記縮小画面表示処理を実行する、
ことを特徴とする携帯端末装置。
【請求項７】
請求項１ないし６の何れか一項に記載の携帯端末装置において、
前記表示制御部は、前記ドラッグ操作中に電話の着信があると、前記ドラッグ操作に基づく表示制御処理を中止して着信報知を行う、
ことを特徴とする携帯端末装置。
【請求項８】
請求項１ないし７の何れか一項に記載の携帯端末装置において、
前記表示制御部は、前記ドラッグ操作中に、電子メールの着信があると、前記ドラッグ
操作の完了後に着信報知を行う、
ことを特徴とする携帯端末装置。
【発明の詳細な説明】
【技術分野】
【０００１】
本発明は、携帯電話機やＰＤＡ（Personal Digital Assistant）等の携帯端末装置に関するものである。
【背景技術】
【０００２】
一般に、携帯電話機においては、液晶パネル等によるディスプレイに操作画面やメール文書、テレビ映像などが表示されるようになっている。ディスプレイが大きいと、一度に多くの情報（文書など）を表示したり、テレビ映像を大きく映し出したりすることができる。しかし、一方で、ディスプレイが大きくなると機器自身のサイズが大きくなってしまい、携帯する際に邪魔になる。
【０００３】
そこで、このような課題に鑑み、常に外部に露出している第１のディスプレイと、携帯時などには機器本体内に収容され、必要に応じて外部に露出される第２のディスプレイとを備え、２つのディスプレイを一体化させた一つの表示面にて画像を表示できるようにした携帯電話機が考えられ得る（たとえば、特許文献１）。
【先行技術文献】
【特許文献】
【０００４】
【特許文献１】特開２００２−４４２０２号公報
【発明の概要】
【発明が解決しようとする課題】
【０００５】
ところで、最近では、ディスプレイ上にタッチパネルが配され、ディスプレイに表示されたアイコンを指などでタッチすることにより、各種アプリケーションが実行される携帯電話機が商品化されている。かかる携帯電話機では、ドラッグ操作することによって、アイコンを画面上の所望の位置に移動することができる。
【０００６】
上記の２つのディスプレイを備えた携帯電話機においても、各ディスプレイにタッチパネルを配し、タッチパネルを用いた操作入力が行える構成とすることができる。この場合、第１のディスプレイと第２のディスプレイとの間でドラッグ操作によるアイコンの移動が行われ得る。
【０００７】
しかしながら、第１のディスプレイと第２のディスプレイとの間には、通常、ディスプレイを収容するキャビネットの部分が存在する。このため、ドラッグ操作の際、キャビネットの部分において、一旦、ディスプレイ表面への指などの接触が断たれてしまうので、２つのディスプレイの間でドラッグ操作がなされたことが検出されにくい。
【０００８】
したがって、一方のディスプレイから他方のディスプレイへアイコンがドラッグ操作されたにもかかわらず、一方のディスプレイの端部でドラッグ操作が完了したと誤った判定がなされ、その端部にアイコンが留まってしまう惧れがある。
【０００９】
本発明は、かかる課題に鑑みてなされたものであり、２つの表示部の間でのドラッグ操作を精度良く行うことができる携帯端末装置を提供することを目的とする。
【課題を解決するための手段】
【００１０】
本発明の携帯端末装置は、第１の表示部と、前記第１の表示部と並べられた第２の表示部と、前記第１の表示部および前記第２の表示部の表示を制御する表示制御部と、前記第
１の表示部または前記第２の表示部に表示された移動対象に対してドラッグ操作がなされたことを検出するための検出部とを備える。ここで、前記表示制御部は、前記移動対象がドラッグ操作されているときに、前記第１の表示部および第２の表示部に表示された表示画面を縮小して、縮小した表示画面を前記ドラッグ操作がなされている表示部に表示させる縮小画面表示処理を実行する。そして、前記ドラッグ操作が完了すると、前記縮小した表示画面を元のサイズの表示画面に戻して前記第１の表示部および第２の表示部に表示させるとともに、前記元のサイズの表示画面において、前記縮小した表示画面上での前記ドラッグ操作完了時の位置に相当する位置に前記移動対象を表示させる。
【００１１】
本発明の構成によれば、２つの表示部の間でドラッグ操作が行われる場合に、表示部が途切れた部分をドラッグ操作されることがないので、ドラッグ操作の検出を容易に行うことができる。よって、２つの表示部の間でのドラッグ操作を精度良く行うことができる。
【００１２】
本発明の携帯端末装置において、前記表示制御部は、前記ドラッグ操作が開始されると、前記縮小画面表示処理を実行する構成とされ得る。
【００１３】
このような構成とすれば、ドラッグ操作がなされた際には、常に縮小画面表示処理が実行される。
【００１４】
本発明の携帯端末装置において、前記表示制御部は、前記ドラッグ操作の状況に基づいて、前記縮小画面表示処理を実行する構成とされ得る。
【００１５】
たとえば、前記表示制御部は、他方の表示部との境界から所定の範囲内に前記ドラッグ操作が達すると、前記縮小画面表示処理を実行する構成とされ得る。
【００１６】
あるいは、前記表示制御部は、他方の表示部の方向に前記ドラッグ操作がなされると、前記縮小画面表示処理を実行する構成とされ得る。
【００１７】
このような構成とすれば、２つの表示部の間でドラッグ操作がなされる可能性が高い場合に、縮小画面表示処理が実行される。よって、１つの表示部の範囲内でドラッグ操作を行う場合には、元のサイズの状態で操作を行うことができる。
【００１８】
本発明の携帯端末装置において、前記表示制御部は、前記ドラッグ操作が開始された後に所定のキー操作が行われると、前記縮小画面表示処理を実行する構成とされ得る。
【００１９】
このような構成とすれば、ユーザが、２つの表示部の間でドラッグ操作を行うときに、ユーザのキー操作によって縮小画面表示処理が実行される。よって、ユーザは、１つの表示部の範囲内でドラッグ操作を行おうとする場合には、元のサイズの状態で操作を行うことができる。
【００２０】
本発明の携帯端末装置において、前記表示制御部は、前記ドラッグ操作中に電話の着信があると、前記ドラッグ操作に基づく表示制御処理を中止して着信報知を行う構成とされ得る。
【００２１】
このような構成とすれば、ドラッグ操作中に電話の着信があった場合、ユーザは、素早く電話に出ることができる。また、ユーザが、電話の着信に反応して、移動対象を不所望な位置に移動させるのを防止できる。
【００２２】
本発明の携帯端末装置において、前記表示制御部は、前記ドラッグ操作中に、電子メールの着信があると、前記ドラッグ操作の完了後に着信報知を行う構成とされ得る。
【００２３】
このような構成とすれば、ユーザは、電子メールの着信報知に邪魔されることなく、ドラッグ操作を行うことができる。さらに、ドラッグ操作が完了した後には、電子メールの着信があったことを知ることができる。
【発明の効果】
【００２４】
本発明によれば、２つの表示部の間でのドラッグ操作を精度良く行うことができる携帯端末装置を提供することができる。
【００２５】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２６】
【図１】実施の形態に係る携帯電話機の外観構成を示す図である。
【図２】実施の形態に係る第１ディスプレイによる第１表示状態から第１ディスプレイと第２ディスプレイとによる第２表示状態への切替え操作について説明するための図である。
【図３】実施の形態に係る携帯電話機の全体構成を示すブロック図である。
【図４】実施の形態に係る第１ディスプレイおよび第２ディスプレイにおける画面表示例を示す図である。
【図５】実施の形態に係る第２表示状態においてドラッグ操作がなされた場合の表示制御処理を示すフローチャートである。
【図６】実施の形態に係る第１ディスプレイから第２ディスプレイへのドラッグ操作がなされたときの画面表示例を示す図である。
【図７】変更例１に係る第２表示状態においてドラッグ操作がなされた場合の表示制御処理を示すフローチャートである。
【図８】変更例１に係る第１ディスプレイから第２ディスプレイへのドラッグ操作がなされたときの画面表示例を示す図である。
【図９】変更例２に係る第２表示状態においてドラッグ操作がなされた場合の表示制御処理を示すフローチャートである。
【図１０】変更例２に係る第１ディスプレイから第２ディスプレイへのドラッグ操作がなされたときの画面表示例を示す図である。
【図１１】変更例３に係る第２表示状態においてドラッグ操作がなされた場合の表示制御処理を示すフローチャートである。
【図１２】変更例４に係る第１ディスプレイのサムネイル画面に表示されたサムネイルが第２ディスプレイのサムネイル画面へドラッグ操作される場合の画面表示例を示す図である。
【図１３】変更例４に係る第１ディスプレイのサムネイル画面に表示されたサムネイルが第２ディスプレイの電話帳画面に表示されたフォト領域へドラッグ操作される場合の画面表示例を示す図である。
【図１４】変更例４に係る第１ディスプレイの文書作成画面に表された文字列が第２ディスプレイの文書作成画面へドラッグ操作される場合の画面表示例を示す図である。
【図１５】変更例４に係る第１ディスプレイの詳細表示画面に表された文字列が第２ディスプレイの文書作成画面へドラッグ操作される場合の画面表示例を示す図である。
【図１６】変更例４に係る第１ディスプレイの詳細表示画面に表された文字列が第２ディスプレイのウェブ画面へドラッグ操作される場合の画面表示例を示す図である。
【図１７】変更例５に係るドラッグ操作中に電話の着信等の割り込みがあった場合の制御処理を示すフローチャートである。
【図１８】縮小画面表示処理により縮小された第１ディスプレイおよび第２ディスプレイの表示画面の変更例を示す図である。
【発明を実施するための形態】
【００２７】
以下、本発明の実施の形態について、図面を参照して説明する。
【００２８】
図１は、携帯電話機の構成を示す図（分解斜視図）である。携帯電話機は、第１キャビネット１と、第２キャビネット２と、これら第１、第２キャビネット１、２を保持する保持体３とで構成されている。
【００２９】
第１キャビネット１は、横長の直方体形状を有する。第１キャビネット１には、第１ディスプレイ１１が配されており、そのディスプレイ面が、第１キャビネット１の正面に臨んでいる。第１ディスプレイ１１は、後述のように第１液晶パネル１１ａと第１液晶パネル１１ａを照明する第１バックライト１１ｂとで構成されている。
【００３０】
第１ディスプレイ１１の前面には、第１タッチパネル１２が配されている。第１タッチパネル１２は透明なシート状を有しており、第１タッチパネル１２を透してディスプレイ１１に表示される表示画面を見ることができる。
【００３１】
第１タッチパネル１２は、マトリクス状に配された第１透明電極と第２透明電極とを備えている。第１タッチパネル１２は、これら透明電極間の静電容量の変化を検出することによって、ユーザに触られたディスプレイ面上の位置を検出し、その位置に応じた位置信号を出力する。なお、第１タッチパネル１２は、静電容量式のタッチパネルに限られず、抵抗膜方式、感圧式等のタッチパネルであってもよい。
【００３２】
第１キャビネット１の内部には、中央やや後ろ位置にカメラモジュール１３が配されている。このカメラモジュール１３における被写体像を取り込むためのレンズ窓（図示せず）が、第１キャビネット１の下面に設けられている。第１キャビネット１の内部には、また、前面近傍の中央位置に磁石１４が配されており、右前角部に磁石１５が配されている。さらに、上キャビネット１の右側面および左側面には、それぞれ、突起部１６、１７が設けられている。
【００３３】
第２キャビネット２は、横長の直方体形状を有する。すなわち、第２キャビネット２は、第１キャビネット１とほぼ同じ形状と大きさを有する。第２キャビネット２には、第２ディスプレイ２１が配されており、そのディスプレイ面が、第２キャビネット２の正面に臨んでいる。第２ディスプレイ２１は、後述のように第２液晶パネル２１ａと第２液晶パネル２１ａを照明する第２バックライト２１ｂとで構成されている。なお、第１ディスプレイ１１および第２ディスプレイ２１は、有機ＥＬ等他の表示素子により構成されてもよい。
【００３４】
第２ディスプレイ２１の前面には、第２タッチパネル２２が配されている。第２タッチパネル２２の構成は、第１タッチパネル１２と同様である。
【００３５】
第２キャビネット２の内部には、後面近傍の中央位置に磁石２３が配されている。
この磁石２３と第１キャビネット１の磁石１４とは、後述の如く大画面を構成する位置に第１キャビネット１と第２キャビネット２が位置づけられた状態（第２表示状態）にあるときに、互いに引き合うよう構成されている。なお、第１キャビネット１および第２キャビネット２において、一方の磁石の磁力が十分大きければ、他方の磁石を磁性体に代えてもよい。
【００３６】
第２キャビネット２内部において、右前角部には閉鎖センサ２４が配されており、右後
角部には開放センサ２５が配されている。これらセンサ２４、２５は、たとえば、ホールＩＣなどで構成され、磁石の磁力に反応して検出信号を出力する。後述するように、第１キャビネット１と第２キャビネット２とが重なった状態になると、第１キャビネット１の磁石１５が、閉鎖センサ２４に接近するので、閉鎖センサ２４からＯＮ信号が出力される。一方、第１キャビネット１と第２キャビネット２とが前後に並んだ状態になると、第１キャビネット１の磁石１５が、開放センサ２５に接近するので、開放センサ２５からＯＮ信号が出力される。
【００３７】
さらに、第２キャビネット２の右側面には２つの軸部２６が設けられており、左側面には２つの軸部２７が設けられている。
【００３８】
保持体３は、底板部３１と、底板部３１の右端部に形成された右保持部３２と、底板部３１の左端部に形成された左保持部３３とで構成されている。底板部３１、右保持部３２および左保持部３３に囲まれた収容領域Ｒに、第１キャビネット１および第２キャビネット２が上下に重なった状態で収容される。
【００３９】
底板部３１には、３つのコイルバネ３４が左右方向に並ぶように配されている。これらコイルバネ３４は、第２キャビネット２が保持体３に取り付けられた状態において、第２キャビネット２の下面に当接し、第２キャビネット２に対して上方に押し上げる力を付与する。
【００４０】
右保持部３２の上面にはマイク３５および電源キー３６が配されている。また、右保持部３２の外側面には、操作キー群３７が配されている。操作キー群３７は、マナーモードの設定キーなど、複数のキーからなる。一定の機能については、これら操作キーを操作することにより、タッチパネル１２、２２を操作することなく実行される。左保持部３３の上面には、通話スピーカ３８が配されている。ユーザは、左保持部３３側が耳元に、右保持部３２側が口元にくるように携帯電話機を持って、通話を行う。
【００４１】
右保持部３２および左保持部３３の内側面には、案内溝３９（左保持部３３側のみ図示）が形成されている。案内溝３９は、前後方向に延びる上溝３９ａおよび下溝３９ｂと、溝の前側に形成され、上溝３９ａと下溝３９ｂとに繋がるよう上下に延びる２つの縦溝３９ｃとで構成されている。
【００４２】
携帯電話機をアセンブルする際には、軸部２６、２７をガイド溝３９の下溝３９ｂに挿入するようにして、第２キャビネット２を保持体３の収容領域Ｒ内に配置し、さらに、突起部１６、１７をガイド溝３９の上溝３９ａに挿入するようにして、第１キャビネット１を保持体３の収容領域Ｒ内であって第２キャビネット２の上に配置する。
【００４３】
こうして、第１キャビネット１は、上溝３９ａに案内されて前後にスライド可能となる。また、第２キャビネット２は、下溝３９ｂに案内されて前後にスライド可能となる。また、第２キャビネット２が前方に移動し、軸部２６、２７が縦溝３９ｃまでくると、第２キャビネット２は、縦溝３９ｃに案内されて上下にスライド可能となる。
【００４４】
図２は、第１ディスプレイ１１による第１表示状態から第１ディスプレイ１１と第２ディスプレイ２１とによる第２表示状態への切替え操作について説明するための図である。
【００４５】
初期の状態においては、同図（ａ）に示すように、第２キャビネット２が第１キャビネット１の背後に隠れた状態となっている。この状態においては、第１ディスプレイ１１のみが外部に露出している。この状態を「第１表示状態」という。切替えの操作は、ユーザによって手動で行われる。
【００４６】
まず、ユーザは、同図（ｂ）に示すように、第１キャビネット１を後方に移動させる。次に、第１キャビネット１の後方への移動が完了すると、同図（ｃ）に示すように、第２キャビネット２を前方へ引き出す。この引出し操作によって、第２キャビネット２が第１キャビネット１に完全に重ならない位置、すなわち第１キャビネット１の前に並ぶ位置まで移動すると、上述のように、軸部２６、２７が縦溝３９ｃにくるので、第２キャビネット２はコイルバネ３３に押されて上昇する。このとき、磁石１４と磁石２３とが引き合うことによって、さらに大きな上昇力が働く。こうして、同図（ｄ）に示すように、第１キャビネット１と第２キャビネット２とが、前後に密着するように、且つ面一となるように並ぶ。第１ディスプレイ１１と第２ディスプレイ２１とが一体化され、大画面の状態となる。この状態を「第２表示状態」という。
【００４７】
図３は、携帯電話機の全体構成を示すブロック図である。本実施の形態の携帯電話機は、上述した各構成要素の他、ＣＰＵ１００、メモリ２００、映像エンコーダ３０１、音声エンコーダ３０２、キー入力回路３０３、通信回路３０４、バックライト駆動回路３０５、映像デコーダ３０６、音声デコーダ３０７、外部スピーカ３０８を備えている。
【００４８】
カメラモジュール１３はＣＣＤ等の撮像素子を有する。カメラモジュール１３は、撮像素子から出力された撮像信号をデジタル化し、その撮像信号にガンマ補正等の各種補正を施して映像エンコーダ３０１へ出力する。映像エンコーダ３０１は、カメラモジュール１３からの撮像信号にエンコード処理を施してＣＰＵ１００へ出力する。
【００４９】
マイク３５は、集音した音声を音声信号に変換して音声エンコーダ３０２へ出力する。音声エンコーダ３０２は、マイク３５からのアナログの音声信号をデジタルの音声信号に変換するとともに、デジタルの音声信号にエンコード処理を施してＣＰＵ１００へ出力する。
【００５０】
キー入力回路３０３は、電源キー３６や操作キー群３７の各キーが操作されたときに、各キーに応じた入力信号をＣＰＵ１００へ出力する。
【００５１】
通信回路３０４は、ＣＰＵ１００からの音声信号や画像信号、テキスト信号などの送信データを無線信号に変換し、アンテナ３０４ａを介して基地局へ送信する。また、アンテナ３０４ａを介して受信した無線信号を音声信号や画像信号、テキスト信号などの受信データに変換してＣＰＵ１００へ出力する。
【００５２】
バックライト駆動回路３０５は、ＣＰＵ１００からの制御信号に応じた電圧信号を第１バックライト１１ｂおよび第２バックライト２１ｂに供給する。第１バックライト１１ｂは、バックライト駆動回路３０５からの電圧信号により点灯し、第１液晶パネル１１ａを照明する。第２バックライト２１ｂは、バックライト駆動回路３０５からの電圧信号により点灯し、第２液晶パネル２１ａを照明する。
【００５３】
映像デコーダ３０６は、ＣＰＵ１００からの映像信号を第１液晶パネル１１ａおよび第２液晶パネル２１ａで表示できるアナログ若しくはデジタルの映像信号に変換し、これら液晶パネル１１ａ、２１ａに出力する。第１液晶パネル１１ａおよび第２液晶パネル２１ａは、映像信号に応じた画像（表示画面）を各ディスプレイ面上に表示する。
【００５４】
音声デコーダ３０７は、ＣＰＵ１００からの音声信号にデコード処理を施し、さらにアナログの音声信号に変換して通話スピーカ３８に出力する。また、音声デコーダ３０７は、ＣＰＵ１００からの着信音、アラーム音等の各種報知音の音信号にデコード処理を施し、さらにアナログの音信号に変換して外部スピーカ３０８へ出力する。通話スピーカ３８は、音声デコーダ３０７からの音声信号を音声として再生する。外部スピーカ３０８は、音声デコーダ３０７からの着信音等を再生する。
【００５５】
メモリ２００は、ＲＯＭおよびＲＡＭを含む。メモリ２００には、ＣＰＵ１００に制御機能を付与するための制御プログラムが記憶されている。また、メモリ２００には、カメラモジュール１３で撮影した画像データや通信回路３０４を介して外部から取り込んだ画像データ、テキストデータ（メールデータ）などが所定のファイル形式で保存される。
【００５６】
ＣＰＵ１００は、キー入力回路３０３およびタッチパネル１２、２２からの操作入力信号に基づき、制御プログラムに従って、カメラモジュール１３、マイク３５、通信回路３０４、液晶パネル１１ａ、２１ａ、通話スピーカ３８、外部スピーカ３０８等を動作させる。これにより、通話機能、電子メール機能等の各種機能（アプリケーション）を実行する。
【００５７】
また、ＣＰＵ１００は、メモリ２００内に用意されたワークエリア内で、各ディスプレイ１１、２１に表示する表示画面を生成し、表示画面を構成するための映像信号を出力する。
【００５８】
図４は、第１ディスプレイ１１および第２ディスプレイ２１における画面表示例を示す図である。
【００５９】
第２キャビネット２が閉じられているときには、第１ディスプレイ１１に表示画面が表示される。たとえば、第１ディスプレイ１１には、初期画面としてメニュー画面が表示される。メニュー画面には、たとえば、図４（ａ）に示すように、各種のアプリケーションを実行するためのアイコンが表示される。アプリケーションは、インターネットを通じたダウンロード等により入手可能であり、入手されたアプリケーションは、インストールにより携帯電話機に追加される。アプリケーションが増えることにより、それに対応するアイコンが増えると、１つの表示画面で全てのアイコンが表示できなくなる。この場合、図４（ｂ）に示すように、第２キャビネット２が開いて、第１ディスプレイ１１と第２ディスプレイ２１とによる第２表示状態になると、第１ディスプレイ１１に表示できなかったアイコンが、第２ディスプレイ２１に表示される。
【００６０】
各ディスプレイ１１、２１に表示されたアイコンは、ドラッグ操作により所望の位置に移動させることができる。本実施の形態では、１つのディスプレイの範囲のみならず、第１ディスプレイ１１と第２ディスプレイ２１との間でドラッグ操作によるアイコンの移動を行うことができる。たとえば、第１ディスプレイ１１には、使用頻度の高いアプリケーションのアイコンが表示され得る。そして、使用頻度が少なくなると、そのアプリケーションのアイコンが、ドラッグ操作によって第２ディスプレイ２１へ移動され得る。
【００６１】
図５は、第２表示状態においてドラッグ操作がなされた場合の表示制御処理を示すフローチャートである。また、図６は、第１ディスプレイ１１から第２ディスプレイ２１へのドラッグ操作がなされたときの画面表示例を示す図である。以下、第１ディスプレイ１１に表示されたアイコンに対してドラッグ操作がなされた場合を例にとって、その処理動作を説明する。
【００６２】
図５を参照して、ＣＰＵ１００は、各タッチパネル１２、２２からの信号を取得して（Ｓ１）、その信号が位置信号であるか否かを検出する（Ｓ２）。たとえば、ユーザが、第１ディスプレイ１１に表示されたアイコンをドラッグするため、そのアイコンに触れると、触れられた位置に基づく位置信号が第１タッチパネル１２から出力される。位置信号は、ディスプレイにおける上下方向の位置（座標）を示す信号と、左右方向の位置（座標）を示す信号とからなる。
【００６３】
ＣＰＵ１００は、第１タッチパネル１２からの位置信号を検出すると（Ｓ２：ＹＥＳ）、検出した位置にアイコン（移動対象）があるか否かを判定する（Ｓ３）。そして、検出した位置にアイコンがあると判定すると（Ｓ３：ＹＥＳ）、第１タッチパネル１２からの信号を再び取得して（Ｓ４）、その信号が位置信号であるか否かを検出する（Ｓ５）。引き続き位置信号を検出すると（Ｓ５：ＹＥＳ）、ＣＰＵ１００は、そのアイコンに対してドラッグ操作がなされたか否を判定する（Ｓ６）。ＣＰＵ１００は、今回の検出位置と前回の検出位置とを比較し、両者が異なっていれば、ドラッグ操作がなされたと判定する。
【００６４】
ユーザによってアイコンがドラッグされることにより（図６（ａ）参照）、ＣＰＵ１００は、ドラッグ操作がなされた判定すると（Ｓ６：ＹＥＳ）、縮小画面表示処理を実行する。即ち、ＣＰＵ１００は、第１ディスプレイ１１に表示された表示画面（以下、「第１の画面」という）および第２ディスプレイ２１に表示された表示画面（以下、「第２の画面」という）の上下のサイズを半分に縮小して、１つのディスプレイに双方の表示画面が表示できるサイズとする（Ｓ７）。そして、第１の画面および第２の画面の双方を、ドラッグ操作がなされたディスプレイ、即ち第１ディスプレイ１１に表示させる（Ｓ８）。このとき、第１ディスプレイ１１には、表示画面の縮小に伴って縮小されたアイコンが表示される（図６（ｂ）参照）。なお、このように画面が切り替わっても、ドラッグ対象のアイコンは、ユーザにより接触されている位置に維持される。
【００６５】
次に、ＣＰＵ１００は、第１タッチパネル１２からの信号を再び取得して（Ｓ９）、その信号が位置信号であるか否かを検出する（Ｓ１０）。そして、引き続き位置信号を検出すると（Ｓ１０：ＹＥＳ）、ドラッグされたアイコンをその検出位置に移動させる（Ｓ１１）。これにより、その検出位置に、ドラッグされたアイコンが表示される（図６（ｂ）参照）。このとき、検出位置に表示されるアイコンは、縮小前の大きさとされ、さらに、ドラッグ操作中であることが認識できる表示形態（たとえば、半透明）で表示される。なお、図６（ｂ）には、便宜上、ドラッグ操作中のアイコンが斜線で示されている。
【００６６】
その後、ユーザによりドラッグ操作が続けられると、ＣＰＵ１００は、ステップＳ９からステップＳ１１の処理を繰り返す。これにより、ドラッグ操作に追従して、第１ディスプレイ１１上をアイコンが移動する。
【００６７】
ユーザは、ドラッグしたアイコンを第２ディスプレイ２１に移動させたい場合、図６（ｂ）に示すように、第２の画面上にアイコンを移動させる。そして、第２の画面上の所望の位置までアイコンをドラッグすると、第１ディスプレイ１１から指などを離してドラッグ操作を完了する。
【００６８】
ユーザがドラッグ操作を完了すると、第１タッチパネル１２からの位置信号が検出されなくなる。ＣＰＵ１００は、ステップＳ１０において位置信号が検出されなくなると（Ｓ１０：ＮＯ）、ドラッグ操作が完了したと判断し、第１の画面および第２の画面を元のサイズに戻す。そして、第１の画面を第１ディスプレイ１１に表示させ、第２の画面を第２ディスプレイ２１に表示させる（Ｓ１２）。このとき、図６（ｃ）に示すように、ＣＰＵ１００は、第１の画面からドラッグされたアイコンを消去する。そして、第２の画面において、ドラッグ完了時の、縮小された第２の画面上でのアイコンの位置に相当する位置に、ドラッグされたアイコンを表示させる。
【００６９】
なお、ユーザが、アイコンに一旦触れたがドラッグせずに指などを離した場合には、ステップＳ６でドラッグ操作されたと判定されないまま（Ｓ６：ＮＯ）、ステップＳ５で位置信号が検出されなくなる（Ｓ５：ＮＯ）。こうなると、第１ディスプレイ１１の表示が
変わらないまま処理が終了する。
【００７０】
また、図６（ｂ）に示すように、２つの表示画面が１つのディスプレイに移ったときの他のディスプレイの表示形態は、どのような形態であってもよい。たとえば、特定の背景画像（白一色など単色の画像を含む）が表示されてもよいし、以前の表示画面がそのまま表示されてもよい。あるいは、ディスプレイがオフされてもよい。
【００７１】
以上説明したように、本実施の形態では、第１ディスプレイ１１と第２ディスプレイ１２との間でアイコンなど移動対象のドラッグ操作が行われる場合に、ディスプレイが途切れるキャビネットの部分をドラッグ操作されることがないので、ドラッグ操作の検出を容易に行うことができる。よって、２つのディスプレイ１１、２１の間でのドラッグ操作を精度良く行うことができる。
【００７２】
また、実際にアイコンを２つディスプレイ間で移動させなくてもよく、１つのディスプレイ内で移動させればよいため、アイコンの移動距離を短くでき、ドラッグ操作を素早く行うことができる。
【００７３】
＜変更例１＞
図７は、変更例１に係る、第２表示状態においてドラッグ操作がなされた場合の表示制御処理を示すフローチャートである。また、図８は、変更例１に係る、第１ディスプレイ１１から第２ディスプレイ２１へのドラッグ操作がなされたときの画面表示例を示す図である。
【００７４】
上記実施の形態では、ドラッグ操作が開始されると、常に縮小画面表示処理（Ｓ７、Ｓ８）が実行される。このため、１つのディスプレイの範囲内でドラッグ操作がなされることが意図される場合であっても、縮小された表示画面で操作が行われることとなる。この場合、アイコンなどの画像が小さくなるため、かえって操作がやりにくくなる惧れがある。
【００７５】
そこで、変更例１の構成では、ユーザが所望する場合にのみ、縮小画面表示処理（Ｓ７、Ｓ８）が実行される。
【００７６】
以下、上記実施の形態と同様に、第１ディスプレイ１１に表示されたアイコンに対してドラッグ操作がなされた場合を例にとって、その処理動作を説明する。なお、ここでは、上記実施の形態と異なる処理についてのみ説明する。
【００７７】
ＣＰＵ１００は、ステップＳ６でドラッグ操作がなされたと判定すると、ドラッグされたアイコン（移動対象）を今回の検出位置に移動させる（Ｓ１３）。これにより、その検出位置にドラッグされたアイコンが、ドラッグ操作中を示す表示形態で表示される（図８（ａ）参照）。
【００７８】
次に、ＣＰＵ１００は、操作キー群３７の所定のキーの入力操作があったか否かを判定する（Ｓ１４）。そして、所定のキーの入力操作がなければ（Ｓ１４：ＮＯ）、ステップＳ５→Ｓ６→Ｓ１３の一連の処理を繰り返す。これにより、ドラッグ操作に追従して、第１ディスプレイ１１上をアイコンが移動する。
【００７９】
ユーザは、第１ディスプレイ１１の範囲内でドラッグ操作を完了する場合には、所定のキーを押さない。そして、所望の位置までアイコンを移動させると、アイコンから指などを離す。
【００８０】
これにより、ＣＰＵ１００は、ステップＳ５で位置検出がなされなくなると（Ｓ５：ＮＯ）、最後の検出位置にアイコンを通常の表示形態で表示させて処理を終了する。
【００８１】
一方、ユーザは、第２ディスプレイ２１へアイコンを移動させる場合には、所定のキーを押す。
【００８２】
これにより、ＣＰＵ１００は、ステップＳ１４で所定のキーの入力操作がなされたと判定すると（Ｓ１４：ＹＥＳ）、縮小画面表示処理（Ｓ７、Ｓ８）を実行する。これにより、第１ディスプレイ１１には、縮小された第１の画面および第２の画面が表示される（図８（ｂ）参照）。その後の処理は、上記実施の形態と同様である。
【００８３】
このように、変更例１の構成とすれば、ユーザは、１つのディスプレイの範囲内でドラッグ操作を行う場合には、元のサイズの状態で操作を行うことができる。よって、不要にアイコンなど移動対象の画像が小さくなることがなく、操作がやりにくくなる惧れがない。
【００８４】
＜変更例２＞
図９は、変更例２に係る、第２表示状態においてドラッグ操作がなされた場合の表示制御処理を示すフローチャートである。また、図１０は、変更例２に係る、第１ディスプレイ１１から第２ディスプレイ２１へのドラッグ操作がなされたときの画面表示例を示す図である。
【００８５】
変更例１の構成では、ユーザが、逐一、キー操作を行わなければならない。
【００８６】
そこで、変更例２の構成では、第１ディスプレイ１１と第２ディスプレイ２１との間でドラッグ操作が行われる可能性が高い状況が自動的に検出され、このような場合に、縮小画面表示処理（Ｓ７、Ｓ８）が実行される。ここでは、上記実施の形態および変更例２と異なる処理についてのみ説明する。
【００８７】
ＣＰＵ１００は、変更例２と同様、ステップＳ１３において、ドラッグされたアイコンを検出位置まで移動させると（Ｓ１３）、次に、その検出位置が予め設定された境界領域内の位置であるか否かを判定する（Ｓ１５）。境界領域は、図１０（ａ）に示すように、第１ディスプレイ１１と第２ディスプレイ２１との境界側の端部である第１ディスプレイ１１の下端部および第２ディスプレイ２１の上端部に設定される。
【００８８】
ユーザは、アイコンを第２ディスプレイ２１側へドラッグする場合、第１ディスプレイ１１の下端部へ移動させる（図１０（ａ）参照）。
【００８９】
ＣＰＵ１００は、アイコンが境界領域へ移動されることにより、検出位置が境界領域内の位置であると判定すると（Ｓ１５：ＹＥＳ）、縮小画面表示処理（Ｓ７、Ｓ８）を実行する。これにより、第１ディスプレイ１１には、縮小された第１の画面および第２の画面が表示される（図１０（ｂ）参照）。その後の処理は、上記実施の形態と同様である。
【００９０】
このように、変更例２の構成とすれば、変更例１と同様、１つのディスプレイの範囲内でドラッグ操作がなされる場合には、元のサイズの状態で操作を行うことができる。よって、不要にアイコンなど移動対象の画像が小さくなることがなく、操作がやりにくくなる惧れがない。しかも、ユーザは、逐一、キー操作を行う必要がない。
【００９１】
＜変更例３＞
図１１は、変更例３に係る、第２表示状態においてドラッグ操作がなされた場合の表示
制御処理を示すフローチャートである。
【００９２】
変更例２の構成では、図１０（ｂ）に示すように、縮小画面表示処理が実行されたときには、アイコンが第１ディスプレイ１１の下端部に位置することになるので、第２の画面の所望位置にアイコンを移動させる場合には、アイコンを上方に戻すことになる。よって、アイコンの動きに無駄が生じやすい。
【００９３】
そこで、変更例３の構成では、変更例２における図９のステップＳ１５の処理に替えて図１１に示すステップＳ１６の処理が実行される
即ち、ＣＰＵ１００は、アイコンが境界方向、つまり第２ディスプレイ２１へ向かう方向に移動されたか否かを判定する（Ｓ１６）。ここでは、ＣＰＵ１００は、前回の検出位置と今回の検出位置を比較して、今回の位置が第２ディスプレイ２１に近い位置であれば、境界方向に移動されたと判定する。そして、アイコンが境界方向に移動されたと判定すると（Ｓ１６：ＹＥＳ）、縮小画面表示処理（Ｓ７、Ｓ８）を実行する。
【００９４】
このように、変更例３の構成とすれば、アイコンがディスプレイの端部まで移動されなくても、縮小画面表示処理が実行されるので、その後、アイコンをディスプレイの内側へ戻すような状況になりにくい。よって、アイコンの動きに無駄が生じにくくすることができる。
【００９５】
＜変更例４＞
上記実施の形態では、メニュー画面に表示されたアイコンに対してドラッグ操作がなされる場合を具体例として、表示制御処理について説明した。しかし、図５に示す表示制御処理は、他の移動対象、たとえば、以下に説明するように、写真のサムネイルやコピー等のために範囲指定された文字列に対するドラッグ操作においても適用することができる。
【００９６】
図１２は、第１ディスプレイ１１のサムネイル画面に表示されたサムネイルが第２ディスプレイ２１のサムネイル画面へドラッグ操作される場合の画面表示例を示す図である。第１ディスプレイ１１および第２ディスプレイ２１には、多数の写真のサムネイルが配されたサムネイル画面が表示されている。
【００９７】
第１ディスプレイ１１において、１つのサムネイルがドラッグされると（図１２（ａ）参照）、２つのサムネイル画面が縮小されて第１ディスプレイ１１に表示される（図１２（ｂ）参照）。その後、第１ディスプレイ１１において、ドラッグされたサムネイルが下のサムネイル画面の所望の位置へ移動され、ドラッグ操作が完了すると、２つのサムネイル画面が元のサイズに戻されて、各サムネイル画面が元のディスプレイ１１、２１に表示される。このとき、ドラッグされたサムネイルは、第１ディスプレイ１１から消去され、第２ディスプレイ２１に表示される（図１２（ｃ）参照）。
【００９８】
図１３は、第１ディスプレイ１１のサムネイル画面に表示されたサムネイルが第２ディスプレイ２１の電話帳画面に表示されたフォト領域へドラッグ操作される場合の画面表示例を示す図である。第１ディスプレイ１１にはサムネイル画面が表示され、第２ディスプレイ２１には、相手の氏名や電話番号が記載された電話帳画面が表示されている。
【００９９】
第１ディスプレイ１１において、１つのサムネイルがドラッグされると（図１３（ａ）参照）、サムネイル画面および電話帳画面が縮小されて第１ディスプレイ１１に表示される（図１３（ｂ）参照）。その後、第１ディスプレイ１１において、ドラッグされたサムネイルが電話帳画面のフォト領域へ移動され、ドラッグ操作が完了すると、サムネイル画面および電話帳画面が元のサイズに戻されて、元のディスプレイ１１、２１に表示される。このとき、ドラッグされたサムネイルは、第１ディスプレイ１１の元の位置に表示されたまま、ドラッグされたサムネイルに対応する写真が、第２ディスプレイ２１に表示された電話帳画面のフォト領域に配される（図１３（ｃ）参照）。
【０１００】
図１４は、第１ディスプレイ１１の文書作成画面に表された文字列が第２ディスプレイ２１の文書作成画面へドラッグ操作される場合の画面表示例を示す図である。第１ディスプレイ１１および第２ディスプレイ２１には、送信メールの文書を作成する文書作成画面が表示されている。第１ディスプレイ１１の文書作成画面と第２ディスプレイ２１の文書作成画面は連続した画面となっており、上の文書作成画面の文章に下の文書作成画面の文章が続いている。
【０１０１】
第１ディスプレイ１１において、コピー対象として範囲指定された文字列がドラッグされると（図１４（ａ）参照）、２つの文書作成画面が縮小されて第１ディスプレイ１１に表示される（図１４（ｂ）参照）。その後、第１ディスプレイ１１において、ドラッグされた文字列が下の文書作成画面の所望の位置へ移動され、ドラッグ操作が完了すると、２つの文書作成画面が元のサイズに戻されて、各文書作成画面が元のディスプレイ１１、２１に表示される。このとき、ドラッグされた文字列は、第１ディスプレイ１１の元の位置に表示されたまま、文字列のコピーが第２ディスプレイ２１に表示される（図１４（ｃ）参照）。
【０１０２】
図１５は、第１ディスプレイ１１の詳細表示画面に表された文字列が第２ディスプレイ２１の文書作成画面へドラッグ操作される場合の画面表示例を示す図である。第１ディスプレイ１１には、受信メールの文章が記載された詳細表示画面が表示されており、第２ディスプレイ２１には、送信メールの文書を作成する文書作成画面が表示されている。
【０１０３】
第１ディスプレイ１１において、コピー対象として範囲指定された文字列がドラッグされると（図１５（ａ）参照）、詳細表示画面および文書作成画面が縮小されて第１ディスプレイ１１に表示される（図１５（ｂ）参照）。その後、第１ディスプレイ１１において、ドラッグされた文字列が文書作成画面の所望の位置へ移動され、ドラッグ操作が完了すると、詳細表示画面および文書作成画面が元のサイズに戻されて、元のディスプレイ１１、２１に表示される。このとき、ドラッグされた文字列は、第１ディスプレイ１１の元の位置に表示されたまま、文字列のコピーが第２ディスプレイ２１に表示される（図１５（ｃ）参照）。
【０１０４】
図１６は、第１ディスプレイ１１の詳細表示画面に表された文字列が第２ディスプレイ２１のウェブ画面へドラッグ操作される場合の画面表示例を示す図である。第１ディスプレイ１１には、受信メールの文章が記載された詳細表示画面が表示されており、第２ディスプレイ２１には、インターネットのウェブ画面が表示されている。
【０１０５】
たとえば、詳細表示画面に記載された用語についてウェブ画面で検索する場合を例にとる。第１ディスプレイ１１において、範囲指定された文字列（用語）がドラッグされると（図１６（ａ）参照）、詳細表示画面およびウェブ画面が縮小されて第１ディスプレイ１１に表示される（図１６（ｂ）参照）。その後、第１ディスプレイ１１において、ドラッグされた文字列がウェブ画面の検索テキストボックスへ移動され、ドラッグ操作が完了すると、詳細表示画面およびウェブ画面が元のサイズに戻されて、元のディスプレイ１１、２１に表示される。このとき、ドラッグされた文字列は、第１ディスプレイ１１の元の位置に表示されたまま、文字列のコピーが第２ディスプレイ２１に表示されたウェブ画面の検索テキストボックスに配される（図１６（ｃ）参照）。
【０１０６】
なお、図７、図９および図１１に示す表示制御処理を、図１２から図１６の例に適用することもできる。
【０１０７】
＜変更例５＞
図１７は、変更例５に係る、ドラッグ操作中に電話の着信等の割り込みがあった場合の制御処理を示すフローチャートである。
【０１０８】
この制御処理は、ＣＰＵ１００により、上記図５、図７、図９および図１１の表示制御処理と並行して実行される。
【０１０９】
ＣＰＵ１００は、ドラッグ操作が開始されると（Ｓ２１：ＹＥＳ）、ドラッグ操作が完了するまで、電話の着信があったか否か、電子メールの着信があったか否か、アラームの報知時刻になったか否かを監視する（Ｓ２２→Ｓ２５→Ｓ２８→Ｓ２９）。
【０１１０】
ＣＰＵ１００は、ドラッグ操作中に電話の着信があったと判定すると（Ｓ２２：ＹＥＳ）、実行していた表示制御処理を中止する（Ｓ２３）。そして、電話の着信を報知する（Ｓ２４）。即ち、第１ディスプレイ１１や第２ディスプレイ２１に相手の名前や電話番号などからなる着信画面を表示させるとともに、外部スピーカ３０８から着信音を出力する。
【０１１１】
これにより、ユーザは、電話に素早く出ることができる。
【０１１２】
一方、ＣＰＵ１００は、電子メールの着信があると判定すると（Ｓ２５：ＹＥＳ）、あるいは、アラームの報知時刻が経過したと判定すると（Ｓ２８：ＹＥＳ）、ドラッグ操作が完了したか否かを判定し（Ｓ２６）、ドラッグ操作が完了していなければ（Ｓ２６：ＮＯ）、そのまま待機する。そして、ドラッグ操作が完了すると（Ｓ２６：ＹＥＳ）、電子メールの着信の場合は着信を報知する（Ｓ２７）。即ち、外部スピーカ３０８から着信音を出力するとともに、電子メールの着信を示すアイコンを第１ディスプレイ１１や第２ディプレイ２１に表示する。
【０１１３】
これにより、ユーザは、電子メールの着信報知やアラーム音に邪魔されることなく、ドラッグ操作を行うことができる。さらに、ドラッグ操作が完了した後には、電子メールの着信があったことやアラーム報知時刻が経過したことを知ることができる。
【０１１４】
なお、電子メールの着信を示すアイコンについては、ドラッグ操作中に、第１ディスプレイ１１や第２ディスプレイ２１の片隅に表示されてもよい。
【０１１５】
＜その他＞
上記実施の形態および変更例に示す形態以外にも、さらに種々変更が可能である。
【０１１６】
たとえば、上記実施の形態および変更例では、縮小画面表示処理において、第１ディスプレイ１１および第２ディスプレイ２１の表示画面を上下方向に縮小しているが、図１８（ａ）に示すように、上下左右方向に縮小するようにしてもよい。
【０１１７】
また、上記実施の形態および変更例では、縮小画面表示処理において、ドラッグ操作中のアイコンを元のサイズとしているが、図１８（ｂ）に示すように、周りの表示画面と同様、このアイコンを縮小して表示するようにしてもよい。
【０１１８】
さらに、上記実施の形態では、いわゆるスライド式の携帯電話機に本発明が適用されている。しかしながら、これに限らず、いわゆる折り畳み式の携帯電話機に本発明が適用されてもよい。
【０１１９】
さらに、本発明の携帯端末装置は、携帯電話機に限られず、ＰＤＡ（Personal DigitalAssistant）等であってもよい。
【０１２０】
この他、本発明の実施の形態は、特許請求の範囲に示された技術的思想の範囲内において、適宜、種々の変更が可能である。
【符号の説明】
【０１２１】
１１  第１ディスプレイ（第１の表示部）
２１  第２ディスプレイ（第２の表示部）
１２  第１タッチパネル（検出部）
２２  第２タッチパネル（検出部）
１００  ＣＰＵ（表示制御部）
【図１】
2011253567.tif 000003
【図２】
2011253567.tif 000004
【図３】
2011253567.tif 000005
【図４】
2011253567.tif 000006
【図５】
2011253567.tif 000007
【図６】
2011253567.tif 000008
【図７】
2011253567.tif 000009
【図８】
2011253567.tif 000010
【図９】
2011253567.tif 000011
【図１０】
2011253567.tif 000012
【図１１】
2011253567.tif 000013
【図１２】
2011253567.tif 000014
【図１３】
2011253567.tif 000015
【図１４】
2011253567.tif 000016
【図１５】
2011253567.tif 000017
【図１６】
2011253567.tif 000018
【図１７】
2011253567.tif 000019
【図１８】
2011253567.tif 000020